(57)【要約】  発呼元の端末（第１の端末）である発呼元移動端末１０１は、発信先を指定して自端末の位置情報を含む通話要求を位置依存通信制御サーバ（通信制御装置）１０２に送信する。位置依存通信制御サーバ１０２は、通話要求に含まれる位置情報に基づいて、該位置情報に合致する該発呼元移動端末の近傍に設置された固定電話端末（第２の端末）１０５を選択する。位置依存通信制御サーバ１０２は、固定電話端末１０５の位置情報と電話番号を対応付けた情報を備え、通話要求で指定された発呼先の端末（第３の端末）である発呼先端末１０３と固定電話端末１０５間の通話呼を確立する。
2008053836.tif 000002
【特許請求の範囲】
【請求項１】
通信ネットワークに接続された複数の端末間で通信制御装置を用いて通話を確立するための通信制御方法であって、
第１の端末が、発信先を指定し、自端末の情報を含む通話要求を前記通信制御装置に送信する通話要求送信ステップと、
前記通信制御装置が、前記通話要求に含まれる前記第１の端末の情報にもとづいて、前記複数の端末のうち、通話に用いられる端末である第２の端末を選択する通話端末選択ステップと、
前記通信制御装置が、前記通話要求で指定された発信先の端末である第３の端末と前記第２の端末との間で通話を確立する通話ステップと、
を有する通信制御方法。
【請求項２】
前記通話要求送信ステップで、前記第１の端末が、自端末の位置を示す情報を含む通話要求を通信制御装置に送信する請求項１記載の通信制御方法。
【請求項３】
通話端末選択ステップで、前記通信制御装置が、通話に用いられる端末が設置されている位置を示す情報と、前記第１の端末から受信した自端末の位置を示す情報とに基づいて、前記第２の端末を選択する請求項２記載の通信制御方法。
【請求項４】
前記通話端末選択ステップで、前記通信制御装置が、予め記憶している通話に用いられる端末が設置されている位置を示す情報と、前記第１の端末から受信した自端末の位置を示す情報とを比較し、前記第１の端末から受信した情報が示す位置に合致する位置に設置されている端末を前記第２の端末として選択する請求項２記載の通信制御方法。
【請求項５】
前記通話ステップで、前記通信制御装置が、前記第２の端末と前記第３の端末の双方に発呼処理を行って前記第２の端末と前記第３の端末間の通話呼を確立する請求項４記載の通信制御方法。
【請求項６】
通話ステップで、前記通信制御装置が、前記第３の端末に前記第２の端末の情報を通知し、前記第３の端末が前記第２の端末に対して発呼処理を行って前記第２の端末と前記第３の端末間の通話呼を確立する請求項４記載の通信制御方法。
【請求項７】
通信ネットワークに接続された複数の端末と通信を行う通信制御装置を備えた通信システムであって、
前記複数の端末のうち、第１の端末は、
発信先を指定し、自端末の情報を含む通話要求を前記通信制御装置に送信する通信手段を有し、
前記通信制御装置は、
前記通話要求に含まれる前記第１の端末の情報に基づいて、前記複数の端末のうち、通話に用いられる端末である第２の端末を選択する固定電話端末管理手段と、
前記複数の端末のうち、前記通話要求で指定された発信先の端末である第３の端末と前記第２の端末との間で通話を確立する通信制御手段と、
を有する通信システム。
【請求項８】
前記第１の端末の通信手段は、
自端末の位置を示す情報を含む通話要求を前記通信制御装置に送信する請求項７記載の通信システム。
【請求項９】
前記通信制御装置の固定電話端末管理手段は、
通話に用いられる各端末が設置されている位置を示す情報と、前記第１の端末から受信した自端末の位置を示す情報とに基づいて前記第２の端末を選択する請求項８記載の通信システム。
【請求項１０】
前記通信制御装置は、
通話に用いられる各端末が設置されている位置を示す情報が格納される固定電話端末データベースを備え、
前記固定電話端末管理手段は、
前記固定電話端末データベースが予め記憶している各端末が設置されている位置を示す情報と、前記第１の端末から受信した自端末の位置を示す情報とを比較し、前記第１の端末から受信した情報が示す位置に合致する位置に設置されている端末を前記第２の端末として選択する請求項９記載の通信システム。
【請求項１１】
前記通信制御装置の通信制御手段は、
前記第２の端末と前記第３の端末の双方に発呼処理を行って前記第２の端末と前記第３の端末間の通話呼を確立する請求項１０記載の通信システム。
【請求項１２】
前記通信制御装置の通信制御手段は、
前記第３の端末に前記第２の端末の情報を通知し、
前記第３の端末は、
前記第２の端末に対して発呼処理を行って前記第２の端末と前記第３の端末間の通話呼を確立する請求項９または請求項１０記載の通信システム。
【請求項１３】
通信ネットワークに接続された複数の端末と通信を行う通信制御装置であって、
前記複数の端末のうち、第１の端末から送信される、発信先を指定し、自端末の情報を含む通話要求を受信する通話要求取得手段と、
前記通話要求に含まれる前記第１の端末の情報に基づいて、前記複数の端末のうち、通話に用いられる端末である第２の端末を選択する固定電話端末管理手段と、
前記複数の端末のうち、前記通話要求で指定された発信先の端末である第３の端末と前記第２の端末間の通話呼を確立する通信制御手段と、
を有する通信制御装置。
【請求項１４】
通話要求に応じて他の端末と通信を行う通信端末であって、
通話に用いられる端末を示す情報を含む通話要求を受信し、前記通話要求にもとづいて、前記端末に発信する通信制御手段を備える通信端末。
【請求項１５】
通信ネットワークに接続された複数の端末と通信を行う通信制御装置に搭載される通信制御プログラムであって、
コンピュータに、
前記複数の端末のうち、第１の端末から、発信先を指定し、自端末の情報を含む通話要求を受信する通話要求取得処理と、
前記通話要求に含まれる前記第１の端末の情報にもとづいて、前記複数の端末のうち、通話に用いられる端末である第２の端末を選択する固定電話端末管理処理と、
前記複数の端末のうち、前記通話要求で指定された発信先の端末である第３の端末と前記第２の端末との間で通話を確立する通信制御処理とを実行させるための通信制御プログラム。
【発明の詳細な説明】
【技術分野】
【０００１】
本発明は、携帯電話端末等の移動端末を用いた通信制御方法、通信システム、通信制御装置、通信端末およびプログラムに関する。
【背景技術】
【０００２】
携帯電話端末等の移動端末を用いた通信サービスが普及している。移動端末を用いた通話サービスは、いつでもどこでも通話ができるという点で非常に利便性が高い。しかしながら、固定電話端末を用いた通話サービスと比べて音質が悪く通話料金が高いという問題がある。【０００３】
そのような問題に対処するため、例えば特開２０００−１８４０３９号公報（以下、特許文献１と称す）には、通話相手の端末（発呼先端末）から自分の移動端末（発呼元移動端末）にコールバックさせる方法が記載されている。【０００４】
また、特開２００４−２８２６２９号公報（以下、特許文献２と称す）には、移動端末の通話中に通信呼を固定電話端末に転送するシステムが記載されている。【０００５】
また、特開２００４−９６２４９号公報（以下、特許文献３と称す）には、サーバにより移動端末の発信に応じて当該移動端末にコールバックし、発信先の電話機と通話させる方法が記載されている。【０００６】
さらに、特開平８−９４５８号公報（以下、特許文献４と称す）には、発信元の移動端末の位置に応じて、公衆電話機の位置を示す情報を当該移動端末に送信するシステムが記載されている。【０００７】
上記特許文献１に記載されている技術を用いると、通話料金を安くできる可能性はあるが、移動端末の音質を改善する効果はない。また、特許文献１に記載の技術は、基本的に移動端末間の通信であるため、コールバックを行っても、固定電話端末を利用する場合と比較すれば、通話料金が高くなってしまう可能性が高い。【０００８】
また、通話料金を低減しつつ、品質（音質）がよい通話を行う１つの方法として、公衆電話機等の固定電話端末の活用が考えられる。ユーザは、所有する携帯電話端末ではなく、公衆電話機から発呼すれば、通話料金及び通話品質の改善が期待できる。【０００９】
しかしながら、公衆電話機を利用するためには、一般に、ユーザは小銭やテレホンカード等を所持していなければならない。また、携帯電話端末内の電話帳等に登録されている電話番号への発呼であっても、ユーザは自ら公衆電話機のダイヤルボタンを押して電話番号を入力しなければならず、煩雑な操作が必要になる。【００１０】
特許文献２に記載されているシステムでは、通信呼が固定端末に転送されるまで移動端末を用いて通話が行われるため、その間の通話料金が高額であり、さらに通話音質が悪いという問題がある。【００１１】
特許文献３に記載された方法は、移動端末を用いて通話を行うので、通話音質が悪いという問題がある。【００１２】
特許文献４に記載されているシステムは、移動端末内の電話帳に登録されている電話番号への発呼であっても、ユーザは公衆電話機のダイヤルボタンを押して電話番号を入力しなければならない問題がある。
【発明の開示】
【００１３】
そこで、本発明は、通話品質を向上しつつ通話料金を低減できる通信制御方法、通信システム、通信制御装置、通信端末、およびプログラムを提供することを目的とする。
【００１４】
上記目的を達成するため本発明では、発呼元の端末（第１の端末）である発呼元移動端末は、発信先を指定して自端末の位置情報を含む通話要求を位置依存通信制御サーバ（通信制御装置）に送信する。位置依存通信制御サーバは、通話要求に含まれる位置情報に基づいて、該位置情報に合致する該発呼元移動端末の近傍の固定電話端末（第２の端末）を選択する。位置依存通信制御サーバは、固定電話端末の位置情報と電話番号を対応付けた情報を備え、通話要求で指定された発呼先の端末（第３の端末）である発呼先端末と固定電話端末間の通話呼を確立する。
【図面の簡単な説明】
【００１５】
【図１】図１は第１の実施の形態の通信システムの一構成例を示すブロック図である。
【図２】図２は図１に示した発呼元移動端末の一構成例を示すブロック図である。
【図３】図３は第１の実施の形態の位置依存通信制御サーバの一構成例を示すブロック図である。
【図４】図４は図１に示した発呼元移動端末の処理手順を示すフローチャートである。
【図５】図５は第１の実施の形態の位置依存通信制御サーバの処理手順を示すフローチャートである。
【図６】図６は固定電話端末データベースが保持するデータの一例を示す表である。
【図７】図７は第１の実施の形態の各端末や位置依存通信制御サーバの動作を示すシーケンス図である。
【図８】図８は第２の実施の形態の発呼先端末の一構成例を示すブロック図である。
【図９】図９は第２の実施の形態の位置依存通信制御サーバの一構成例を示すブロック図である。
【図１０】図１０は第２の実施の形態の位置依存通信制御サーバの処理手順を示すフローチャートである。
【図１１】図１１は第２の実施の形態の発呼先端末の処理手順を示すフローチャートである。
【図１２】図１２は第２の実施の形態の各端末や位置依存通信制御サーバの動作を示すシーケンス図である。
【発明を実施するための最良の形態】
【００１６】
次に本発明について図面を参照して説明する。
（第１の実施の形態）
第１の実施の形態の通信システムについて図面を参照して説明する。【００１７】
図１は第１の実施の形態の通信システムの一構成例を示すブロック図である。【００１８】
図１に示すように、第１の実施の形態の通信システムは、発呼元移動端末（第１の端末）１０１、位置依存通信制御サーバ（通信制御装置）１０２および位置ＩＤ発信機１０６を備えている。各端末およびサーバは、通信網（通信ネットワーク）１０４を介して発呼先端末（第３の端末）１０３および固定電話端末（第２の端末）１０５と情報を送受信する。【００１９】
通話要求元のユーザが所持する発呼元移動端末１０１は、例えば携帯電話端末である。位置依存通信制御サーバ１０２は、発呼元移動端末１０１の位置に応じた通信制御を行う。発呼先端末１０３は、発呼元移動端末１０１の通話相手が使用する通信端末であり、携帯電話端末等の移動端末、あるいは家庭内や事業所内に設置される、公衆交換電話網に接続された電話機である。【００２０】
固定電話端末１０５は、公衆交換電話網に接続された電話機である。具体的には、街頭や公共空間内等に設置された公衆電話機、あるいは家庭内や事業所内に設置された電話機である。位置ＩＤ発信機１０６は、固定電話端末１０５の近傍に設置され、該固定電話端末１０５の設置場所を示す位置情報を無線信号（例えば、Ｂｌｕｅｔｏｏｔｈ（登録商標））や赤外線信号等で定期的に発信する。位置情報には、固定電話端末１０５の設置場所を示す、例えば緯度および経度、あるいは住所等を用いる。位置情報は、設置場所毎に一意に割り当てられ、当該設置場所を識別できる情報であればどのような情報でもよい。【００２１】
なお、第１の実施の形態の通信システムでは、発呼元移動端末１０１により固定電話端末１０５の位置情報を取得できればよく、その位置情報の取得手段はどのようなものであってもよい。例えば固定電話端末１０５が設置された台や近傍の壁面等に貼付された、位置情報がエンコードされた２次元バーコードから位置情報を読み取る構成、あるいは発呼元移動端末１０１が、例えばＧＰＳ（Ｇｌｏｂａｌ  Ｐｏｓｉｔｉｏｎｉｎｇ  Ｓｙｓｔｅｍ）等を利用して取得した自端末の位置情報を固定電話端末１０５の位置情報として用いる構成等が考えられる。その場合、位置ＩＤ発信機１０６は無くてもよい。【００２２】
図２は図１に示した発呼元移動端末の一構成例を示すブロック図である。【００２３】
図２に示すように、発呼元移動端末１０１は、通信網１０４を介して位置依存通信制御サーバ１０２等と通信を行う通信手段２０２と、発呼先端末１０３の電話番号の取得処理等を行う発呼要求入力手段２０３と、位置ＩＤ発信機１０６等から固定電話端末１０５の位置情報を取得する位置情報取得手段２０４と、通信手段２０２、発呼要求入力手段２０３及び位置情報取得手段２０４の動作を制御する端末内通信制御手段２０１を備えている。【００２４】
発呼要求入力手段２０３は、ユーザの入力操作によって発呼先端末１０３の電話番号を取得してもよく、ユーザの操作にしたがって予め記憶手段（図示せず）に格納された電話帳から発呼先端末１０３の電話番号を取得してもよい。【００２５】
なお、発呼元移動端末１０１は、図２に示した各手段に加えて、通常の移動端末が有する他の構成要素（例えば、無線通信手段や表示手段等）を備えている。【００２６】
位置情報取得手段２０４は、カメラ等の撮影手段と２次元バーコードにエンコードされた位置情報をデコードする復号手段とを備えていてもよい。その場合、発呼元移動端末１０１は、ユーザが撮影手段を用いて固定電話端末１０５の近傍にある２次元バーコードを撮影し、撮影した２次元バーコードを復号手段で復号することで固定電話端末１０５の位置情報を取得すればよい。【００２７】
図３は第１の実施の形態の位置依存通信制御サーバの一構成例を示すブロック図である。【００２８】
図３に示すように、第１の実施の形態の位置依存通信制御サーバ１０２は、通話要求取得手段３０１、固定電話端末管理手段３０２、固定電話端末データベース３０３、通信制御手段３０４、課金管理手段３０５及びサーバ制御手段３０６を備えている。【００２９】
通話要求取得手段３０１は、発呼元移動端末１０１から送信された通話要求を通信網１０４を介して受信する。固定電話端末管理手段３０２は、発呼元移動端末１０１の通話要求に含まれる位置情報に基づいて固定電話端末データベース３０３を検索する。固定電話端末データベース３０３には、固定電話端末１０５の位置情報と電話番号を対応付けた情報が予め格納されている。【００３０】
固定電話端末管理手段３０２は、固定電話端末データベース３０３を検索し、通知された位置情報に合致する、発呼元移動端末１０１の近傍に設置された固定電話端末１０５の電話番号を抽出する。【００３１】
通信制御手段３０４は、固定電話端末１０５と発呼先端末１０３間の通話呼を制御する。課金管理手段３０５は、固定電話端末１０５と位置依存通信制御サーバ１０２間、及び発呼先端末１０３と位置依存通信制御サーバ１０２間の通話時間に応じて課金を行う。サーバ制御手段３０６は、位置依存通信制御サーバ１０２が備える各手段の制御を行う。【００３２】
なお、本実施形態の通信システムが課金処理を行わない場合、位置依存通信制御サーバ１０２は課金管理手段３０５を備えていなくてもよい。【００３３】
位置依存通信制御サーバ１０２は、発呼元移動端末１０１から送信された、発信先及び該発呼元移動端末１０１の位置情報（＝固定電話端末１０５の位置情報）を含む通話要求を受信する通話要求取得処理と、通話要求に含まれる位置情報に基づいて通話に用いる固定電話端末１０５を選択する固定電話端末管理処理と、通話要求で指定された発呼先端末１０３と固定電話端末１０５間の通話呼を確立するための通信制御処理とを実行するための通信制御プログラムが搭載されたコンピュータで実現できる。【００３４】
次に第１の実施の形態の通信システムの動作について図面を参照して説明する。【００３５】
図４は図１に示した発呼元移動端末の処理手順を示すフローチャートである。【００３６】
図４に示すように、端末内通信制御手段２０１は、発呼要求入力手段２０３を介してユーザから発呼要求を受け取ると（ステップＳ４０１のＹ）、位置情報取得手段２０４に近傍の固定電話端末１０５の位置情報を取得するよう指示する。【００３７】
位置情報取得手段２０４は、位置ＩＤ発信機１０６等から近傍の固定電話端末１０５の位置情報を取得する（ステップＳ４０２）。【００３８】
端末内通信制御手段２０１は、位置情報取得手段２０４が固定電話端末１０５の位置情報の取得に成功すると（ステップＳ４０３のＹ）、ユーザの操作にしたがって発呼要求入力手段２０３を用いて発呼先端末１０３の電話番号を取得する（ステップＳ４０４）。【００３９】
端末内通信制御手段２０１は、発呼要求入力手段２０３が発呼先端末１０３の電話番号の取得に成功すると（ステップＳ４０５のＹ）、通信手段２０２を介して位置依存通信制御サーバ１０２に通話要求を送信する発呼処理（発信処理）を行う（ステップＳ４０６）。このときの通話要求には、ステップＳ４０２で取得した固定電話端末１０５の位置情報とステップＳ４０４で取得した発呼先端末１０３の電話番号とが含まれる。【００４０】
端末内通信制御手段２０１は、通信手段２０２が位置依存通信制御サーバ１０２から正常応答を示す情報を受信する等により通話要求の送信に成功したと判定した場合（ステップＳ４０７のＹ）、発呼処理を終了する。【００４１】
端末内通信制御手段２０１は、ステップＳ４０２にて位置情報取得手段２０４が位置情報の取得に失敗した場合（ステップＳ４０３のＮ）、発呼要求入力手段２０３から発呼先端末１０３の電話番号を取得し（ステップＳ４０８）、通常の発呼処理と同様に発呼先端末１０３に直接発呼（発信）する（ステップＳ４０９）。この場合、エラーメッセージ等を表示手段に表示させて処理を終了する。【００４２】
また、端末内通信制御手段２０１は、ステップＳ４０４にて発呼先端末１０３の電話番号の取得に失敗した場合も（ステップＳ４０５のＮ）、表示手段にエラーメッセージ等を表示させて処理を終了する（ステップＳ４１０）。【００４３】
端末内通信制御手段２０１は、ステップＳ４０８にて発呼先端末１０３の電話番号の取得に失敗した場合やステップＳ４０６にて通話要求の送信に失敗した場合（ステップＳ４０７のＮ）、表示手段にエラーメッセージ等を表示させて処理を終了する（ステップＳ４１１）。【００４４】
図５は第１の実施の形態の位置依存通信制御サーバの処理手順を示すフローチャートである。【００４５】
図５に示すように、位置依存通信制御サーバ１０２は、通話要求取得手段３０１にて発呼元移動端末１０１からの通話要求を受信すると（ステップＳ５０１のＹ）、固定電話端末管理手段３０２から受信した通話要求に含まれる位置情報に基づいて固定電話端末データベース３０３を検索し、該位置情報に合致する固定電話端末１０５の電話番号を取得する（ステップＳ５０２）。【００４６】
サーバ制御手段３０６は、受信した通話要求に含まれる位置情報に合致する電話番号が固定電話端末データベース３０３に登録されている場合（ステップＳ５０３のＹ）、通信制御手段３０４に当該固定電話端末１０５への発信を指示する。【００４７】
通信制御手段３０４は、固定電話端末１０５に発呼する（ステップＳ５０４）。ユーザが固定電話端末１０５の受話器を取ることで固定電話端末１０５が応答し、位置依存通信制御サーバ１０２と固定電話端末１０５間の通話呼が確立すると（ステップＳ５０５のＹ）、サーバ制御手段３０６は、通信制御手段３０４に発呼先端末１０３への発呼を指示する。通信制御手段３０４は、発呼先端末１０３に発呼する（ステップＳ５０６）。【００４８】
サーバ制御手段３０６は、発呼先端末１０３からの応答があり、位置依存通信制御サーバ１０２と発呼先端末１０３間の通話呼が確立すると（ステップＳ５０７のＹ）、固定電話端末１０５と発呼先端末１０３とを接続するよう通信制御手段３０４に指示する（ステップＳ５０８）。このとき、位置依存通信制御サーバ１０２の通信制御手段３０４は、発呼先端末１０３が応答するまでの期間、固定電話端末１０５に呼び出し音を送出してユーザに呼び出し音を聞かせてもよい。【００４９】
サーバ制御手段３０６は、ステップＳ５０２の処理の結果、固定電話端末１０５の電話番号を取得できなかった場合（ステップＳ５０３のＮ）、通話要求取得手段３０１を介して発呼元移動端末１０１へエラー応答を送信する（ステップＳ５０９）。【００５０】
また、サーバ制御手段３０６は、ステップＳ５０４の処理の結果、固定電話端末１０５が応答しなかった場合（ステップＳ５０５のＮ）、通信制御手段３０４に発呼元移動端末１０１へエラー応答を送信させる（ステップＳ５１０）。【００５１】
また、サーバ制御手段３０６は、ステップＳ５０６の処理の結果、発呼先端末１０３が応答しなかった場合（ステップＳ５０７のＮ）、通信制御手段３０４に発呼元移動端末１０１へエラー応答を送信させる（ステップＳ５１１）。【００５２】
なお、図５に示すフローチャートでは、課金管理手段３０５で実施する課金管理処理を省略しているが、課金管理手段３０５は、ステップＳ５０４及びステップＳ５０６における発呼処理が成功した場合、位置依存通信制御サーバ１０２と固定電話端末１０５間の接続時間に応じた課金処理、及び位置依存通信制御サーバ１０２と発呼先端末１０３間の接続時間に応じた課金処理を行えばよい。【００５３】
本実施形態の通信システムで発生する通話料金は、基本的に発呼元移動端末１０１を所持しているユーザが負担するべきものである。但し、通話料金の精算は様々な方法が考えられる。例えば、個別に各ユーザに請求して清算してもよく、本発明の通信システムを利用したサービスを固定電話通信事業者が提供する場合、ユーザの自宅の固定電話サービスの利用料金に合算して請求してもよい。また、ユーザ以外が通話料金を負担してもよい。例えば固定電話端末１０５を保有する事業者（例えば、商業施設や娯楽施設等を運営する事業者）がユーザ向けのサービスとして通話料金を負担してもよい。【００５４】
図６は固定電話端末データベースが保持するデータの一例を示す表である。図６は位置情報が各位置ＩＤ発信機の設置場所を識別する情報である例を示している。【００５５】
図６に示すように、固定電話端末データベース３０３には、固定電話端末の位置情報と電話番号とが関連付けて格納されている。図６に示す例では、位置情報「０００００００１」と固定電話端末の電話番号「０３−１２３４−５６７８」とが対応付けて保存されている。また、位置情報「０００００００２」と、固定電話端末の電話番号「０３−１１１１−２２２２」とが対応付けて保存されている。【００５６】
図７は第１の実施の形態の各端末や位置依存通信制御サーバの動作を示すシーケンス図である。【００５７】
図７に示すように、発呼元移動端末１０１は、ユーザからの通話要求を受け取ると（通話要求操作がなされた場合）、位置ＩＤ発信機１０６から発信される位置情報を受信する（ステップＳ７０１）。このとき、上述したように位置ＩＤ発信機１０６から位置情報を取得する代わりに、固定電話端末１０５の近傍にある２次元バーコードにエンコードされた位置情報を読み取ってもよい。【００５８】
発呼元移動端末１０１は、位置情報を受信すると、ユーザが指定した発呼先電話番号と固定電話端末１０５の位置情報とを含む通話要求を、通信網１０４を介して位置依存通信制御サーバ１０２に送信する（ステップＳ７０２）。【００５９】
位置依存通信制御サーバ１０２は、通信網１０４を介して受信した位置情報に基づいて、固定電話端末１０５の電話番号を検索し（ステップＳ７０３）、検索した電話番号を用いて該固定電話端末１０５への接続要求を送信する発信処理を行う（ステップＳ７０４）。固定電話端末１０５が応答して位置依存通信制御サーバ１０２と固定電話端末１０５間の通話呼が確立すると（ステップＳ７０５）、位置依存通信制御サーバ１０２は発呼先端末１０３に接続要求を発信する（ステップＳ７０６）。【００６０】
発呼先端末１０３が応答して位置依存通信制御サーバ１０２と発呼先端末１０３間が接続されると（ステップＳ７０７）、位置依存通信制御サーバ１０２は固定電話端末１０５と発呼先端末１０３間の通話呼を確立する。その結果、発呼元移動端末１０１と発呼先端末１０３間の通話が可能になる（ステップＳ７０８）。【００６１】
なお、図５に示したステップＳ５０４〜５０８、Ｓ５１０及びＳ５１１、並びに図７に示すステップＳ７０４〜Ｓ７０８で実行する通話呼の確立方法については、例えば下記参考文献１等に記載されている。
［参考文献１］
ジェイ・ローセンバーグ（Ｊ．Ｒｏｓｅｎｂｅｒｇ）、外３名、“ベスト  カレント  プラクティスズ  フォー  サード  パーティ  コール  コントロール  イン  ザ  セッション  イニシエーション  プロトコル（Ｂｅｓｔ  Ｃｕｒｒｅｎｔ  Ｐｒａｃｔｉｃｅｓ  ｆｏｒ  Ｔｈｉｒｄ  Ｐａｒｔｙ  Ｃａｌｌ  Ｃｏｎｔｒｏｌ（３ｐｐｃ）  ｉｎ  ｔｈｅ  Ｓｅｓｓｉｏｎ  Ｉｎｉｔｉａｔｉｏｎ  Ｐｒｏｔｏｃｏｌ（ＳＩＰ））”、［ｏｎｌｉｎｅ］、２００４年４月、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）、［平成１８年１０月２０日検索］、インターネット＜ＵＲＬ：http://www.ietf.org/rfc/rfc3725.txt＞、ｐ．３
第１の実施の形態の通信システムによれば、ユーザは、移動端末である発呼元移動端末１０１を用いずに固定電話端末１０５を用いて発呼先端末１０３と通話するため、移動端末を用いる通話よりも通話品質が向上し、通話料金を低減できる。また、ユーザは公衆電話機のダイヤルボタンを押して電話番号を入力する必要がないため、煩雑な操作が不要になる。【００６２】
さらに、位置依存通信制御サーバ１０２で固定電話端末１０５の設置位置を示す位置情報とその電話番号とを関連付けた情報を予め保持しておき、発呼元移動端末１０１から自端末の近傍に設置された固定電話端末１０５の位置情報を含む通話要求を送信するため、位置依存通信制御サーバ１０２は、発呼元移動端末１０１の近傍に設置された固定電話端末１０５を選択できる。その場合、ユーザは近傍に設置された固定電話端末１０５を用いて通話できる。
（第２の実施の形態）
次に第２の実施の形態の通信システムについて図面を用いて説明する。【００６３】
第２の実施の形態の通信システムは、図１に示した発呼先端末１０３に代えて発呼先端末（通信端末）８０３を備え、位置依存通信制御サーバ１０２に代えて位置依存通信制御サーバ９０３を備える構成である。その他の構成は図１に示した第１の実施の形態の通信システムと同様であるため、その説明は省略する。【００６４】
第１の実施の形態の通信システムでは、位置依存通信制御サーバ１０２が固定電話端末１０５と発呼先端末１０３とにそれぞれ発呼する。それに対して第２の実施の形態の通信システムでは、発呼先端末８０３から固定電話端末１０５に発呼する。【００６５】
図８は第２の実施の形態の発呼先端末の一構成例を示すブロック図である。【００６６】
第２の実施の形態の発呼先端末８０３は、本実施形態に関連する処理の制御を行う発呼先端末内通信制御手段８０１と、通信網１０４を介して位置依存通信制御サーバ９０３や固定電話端末１０５等と通信を行う通信手段８０２とを備えている。すなわち、第２の実施の形態の発呼先端末８０３が備える通信制御手段は、発呼先端末内通信制御手段８０１及び通信手段８０２によって実現される。【００６７】
発呼先端末８０３は、通話に用いる端末を示す情報を含む通話要求を受信し、通話要求に基づいて端末に発信する通信制御処理を実行させるための通信端末制御プログラムが搭載されたコンピュータで実現できる。【００６８】
図９は第２の実施の形態の位置依存通信制御サーバの一構成例を示すブロック図である。【００６９】
図９に示すように、第２の実施の形態の位置依存通信制御サーバ９０３は、図３に示した位置依存通信制御サーバ１０２の構成に加えて、発呼先端末の管理を行う発呼先端末管理手段９０１及び発呼先端末の情報を保持する発呼先端末データベース９０２を備えている。【００７０】
発呼先端末データベース９０２には、第２の実施の形態で必要とされる機能（手段）を搭載した発呼先端末の電話番号等が登録（保持）される。なお、発呼先端末管理手段９０１により発呼先端末と通信を行うことで、発呼先端末が第２の実施の形態で必要とされる機能を搭載しているか否かを判定する場合、位置依存通信制御サーバ９０３は発呼先端末データベース９０２を備えていなくてもよい。【００７１】
次に第２の実施の形態の通信システムの動作について図面を参照して説明する。【００７２】
図１０は第２の実施の形態の位置依存通信制御サーバの処理手順を示すフローチャートである。【００７３】
図１０に示すように、第２の実施の形態の位置依存通信制御サーバは、図５に示した第１の実施の形態の位置依存通信制御サーバの処理に加えてステップＳ１００１からステップＳ１００５の処理を実行する。但し、発呼先端末が第２の実施の形態で必要とされる機能を備えていない場合、図５に示した処理手順と同様に、位置依存通信制御サーバ９０３が固定電話端末１０５と発呼先端末１０３とにそれぞれ発呼すればよい。【００７４】
ステップＳ５０１及びＳ５０２の動作は、図５に示した第１の実施の形態の位置依存通信制御サーバの処理と同様のため、ここではその説明を省略する。【００７５】
位置依存通信制御サーバ９０３において、サーバ制御手段３０６は、固定電話端末の電話番号の取得に成功したと判定すると（ステップＳ５０３のＹ）、発呼元移動端末１０１から通知された発呼先端末の電話番号に基づいて発呼先端末管理手段９０１に発呼先端末データベース９０２の検索を指示する。発呼先端末管理手段９０１は、発呼先端末データベース９０２を検索する（ステップＳ１００１）。【００７６】
発呼先端末データベース９０２に発呼元移動端末１０１から通知された発呼先端末８０３の電話番号が登録されている場合（ステップＳ１００２のＹ）、通信制御手段３０４は、ステップＳ５０２で取得した固定電話端末１０５の電話番号を発呼先端末８０３に通知する（ステップＳ１００３）。このとき、発呼先端末８０３のユーザに通話要求先を確認させるため、発呼先端末８０３に発呼元移動端末１０１の電話番号を通知してもよい。【００７７】
サーバ制御手段３０６は、発呼先端末８０３から正常な応答があり、通知処理が正常に終了したと判定した場合に（ステップＳ１００４のＹ）処理を終了する。サーバ制御手段３０６は、通信制御手段３０４で発呼先端末８０３からのエラー通知を受け取った場合等、処理が正常に終了しなかったと判定した場合は（ステップＳ１００４のＮ）、通信制御手段３０４を用いて発呼元端末１０１へエラー通知させるなどの処理を行う（ステップＳ１００５）。【００７８】
また、発呼先端末データベース９０２に発呼元移動端末１０１から通知された発呼先端末８０３の電話番号が登録されていなかった場合（ステップＳ１００２のＮ）、第１の実施の形態と同様に通信制御手段３０４を用いて固定電話端末１０５と発呼先端末８０３とにそれぞれ発呼してもよい（ステップＳ５０４〜Ｓ５０８）。また、発呼先端末８０３の電話番号が発呼先端末データベース９０２に登録されていない場合（ステップＳ１００２のＮ）、サーバ制御手段３０６は、ステップＳ５０４以降の処理を行わずに、通信制御手段３０４に発呼元移動端末１０１へエラー通知を送信させて処理を終了してもよい。【００７９】
ステップＳ５０９、Ｓ５１０及びＳ５１１の処理は、図５に示した第１の実施の形態の位置依存通信制御サーバの処理と同様であるため、ここではその説明を省略する。【００８０】
図１１は第２の実施の形態の発呼先端末の処理手順を示すフローチャートである。【００８１】
図１１に示すように、発呼先端末通信制御手段８０１は、通信手段８０２を介して位置依存通信制御サーバ９０３から通話要求を受信すると（ステップＳ１１０１のＹ）、固定電話端末１０５に通話要求を送信すると共に、位置依存通信制御サーバ９０３から通知された固定電話端末１０５の電話番号に発呼する（ステップＳ１１０２）。【００８２】
固定電話端末１０５からの応答があった場合（ステップＳ１１０３のＹ）、固定電話端末１０５と発呼先端末１０３間に通話呼が確立し、通話が開始される（ステップＳ１１０４）。固定電話端末１０３からの応答がない場合（ステップＳ１１０３のＮ）、発呼先端末通信制御手段８０１は位置依存通信制御サーバ９０３に対するエラー通知等の処理を行う（ステップＳ１１０５）。【００８３】
なお、第２の実施の形態の発呼元移動端末１０１の処理は、図４に示した第１の実施の形態の発呼元移動端末１０１と同様である。【００８４】
図１２は第２の実施の形態の各端末や位置依存通信制御サーバの動作を示すシーケンス図である。なお、図１２に示すステップＳ７０１からステップＳ７０３までの処理は、図７に示した第１の実施の形態の通信システムと同様であるため、ここではその説明を省略する。【００８５】
図１２に示すように、位置依存通信制御サーバ９０３は、ステップＳ７０３にて固定電話端末１０３の電話番号を取得すると、発呼先端末８０３の電話番号が発呼先端末データベース９０２に登録されているか否かを検索する（ステップＳ１２０１）。発呼先端末データベース９０２に発呼元移動端末１０１から通知された発呼先端末８０３の電話番号が登録されている場合、位置依存通信制御サーバ９０３の通信制御手段３０４は、検索した固定電話端末１０３の電話番号を含む通話要求を発呼先端末８０３に送信する（ステップＳ１２０２）。【００８６】
通話要求を受信した発呼先端末８０３は、固定電話端末１０５に発信を行い（ステップＳ１２０３）、固定電話端末１０５からの応答を受信すると（ステップＳ１２０４）、通話が開始される（ステップＳ１２０５）。【００８７】
第２の実施の形態の通信システムでは、発呼先端末８０３から固定電話端末１０５に発呼するため、第１の実施の形態の通信システムのように位置依存通信制御サーバ１０２から発呼先端末１０３及び固定電話端末１０５に発呼する構成に比べて通話料金をさらに低減できる。すなわち、第１の実施の形態では２つの通話呼に対して料金が発生するが、第２の実施の形態では１つの通話呼に対してのみ料金が発生する。そのため、第１の実施の形態の通信システムよりもさらに通話料金を低減できる。【００８８】
この出願は、２００６年１０月３１日に出願された特願２００６−２９５１７９号を基礎とする優先権を主張し、その開示の全てをここに取り込む。
【図１】
2008053836.tif 000003
【図２】
2008053836.tif 000004
【図３】
2008053836.tif 000005
【図４】
2008053836.tif 000006
【図５】
2008053836.tif 000007
【図６】
2008053836.tif 000008
【図７】
2008053836.tif 000009
【図８】
2008053836.tif 000010
【図９】
2008053836.tif 000011
【図１０】
2008053836.tif 000012
【図１１】
2008053836.tif 000013
【図１２】
2008053836.tif 000014
【国際調査報告】
2008053836.tif 000015
2008053836.tif 000016
2008053836.tif 000017
2008053836.tif 000018